(57)【要約】【課題】所定のゴルフ場に関する十分な情報を伝えることができ、所定の商品に関する十分な情報を伝えることができるゴルフスコアカードを提供する。【解決手段】ゴルフスコアカード１０Ａでは、それを利用してプレーする所定のゴルフ場を表示したゴルフ場表示欄１４が表表示面１１に表示され、所定の商品を広告する商品・役務広告欄１７が表表示面１１に表示されている。ゴルフ場表示欄１４には、所定のゴルフ場のＵＲＬ、ゴルフ場のイベント情報、ゴルフ場のキャンペーン情報、ゴルフに関する最新ニュースのうちの少なくとも１つを持ったゴルフ場用の二次元バーコード１５が表示され、商品・役務広告欄１７には、所定の商品を販売する企業のＵＲＬ、所定の商品の宣伝情報、所定の商品のイベント情報、所定の商品のキャンペーン情報のうちの少なくとも１つを持った広告用の二次元バーコード１６ａ，１６ｂが表示されている。【選択図】図１
2019120793.tif 000002
【特許請求の範囲】
【請求項１】
表表示面と裏表示面とを有して前記裏表示面にゴルフのスコアを記入するゴルフスコアカードにおいて、
前記表表示面には、前記ゴルフスコアカードを利用してプレーする所定のゴルフ場を表示したゴルフ場表示欄と、所定の商品または役務を広告する商品・役務広告欄とが表示され、前記ゴルフ場表示欄には、前記所定のゴルフ場の各種情報を持ったゴルフ場用の二次元バーコードが表示され、前記商品・役務広告欄には、前記所定の商品または役務に関する各種情報を持った広告用の二次元バーコードが表示されていることを特徴とするゴルフスコアカード。
【請求項２】
前記ゴルフ場用の二次元バーコードが持つ前記ゴルフ場の各種情報が、ゴルフ場のＵＲＬ、ゴルフ場のイベント情報、ゴルフ場のキャンペーン情報、ゴルフに関する最新ニュースのうちの少なくとも１つであり、前記広告用の二次元バーコードが持つ前記商品または役務に関する各種情報が、所定の商品を販売する企業のＵＲＬ、所定の役務を提供する企業のＵＲＬ、所定の商品または所定の役務の宣伝情報、所定の商品または所定の役務のイベント情報、所定の商品または所定の役務のキャンペーン情報のうちの少なくとも１つである請求項１に記載のゴルフスコアカード。
【請求項３】
前記ゴルフスコアカードでは、それに表示された前記ゴルフ場用の二次元バーコードをプレーヤーが所持する携帯通信端末に読み取らせることで、該ゴルフ場用の二次元バーコードに含まれるゴルフ場のＵＲＬを該携帯通信端末に取り込ませ、該携帯通信端末に取り込んだ前記ゴルフ場のＵＲＬを利用して所定のゴルフ場のホームページにアクセス可能であり、前記所定のゴルフ場のホームページから該ゴルフ場に関する各種情報を取得可能である請求項２に記載のゴルフスコアカード。
【請求項４】
前記ゴルフスコアカードでは、それに表示された前記広告用の二次元バーコードをプレーヤーが所持する携帯通信端末に読み取らせることで、該広告用の二次元バーコードに含まれる商品を販売する企業のＵＲＬまたは役務を提供する企業のＵＲＬを該携帯通信端末に取り込ませ、該携帯通信端末に取り込んだ前記商品を販売する企業のＵＲＬまたは役務を提供する企業のＵＲＬを利用して所定の企業のホームページにアクセス可能であり、前記所定の企業のホームページから該企業の商品に関する各種情報または該企業の役務に関する各種情報を取得可能である請求項２または請求項３に記載のゴルフスコアカード。
【請求項５】
前記ゴルフスコアカードが、横方向へ離間して縦方向へ延びる第１折り曲げ線と第２折り曲げ線とを有し、前記第１および第２折り曲げ線によって３つ折りに折り畳まれ、前記表表示面が、前記第１および第２折り曲げ線によって第１〜第３表表示面に区画され、前記ゴルフスコアカードでは、前記ゴルフ場表示欄と前記ゴルフ場用の二次元バーコードとが前記第１〜第３表表示面のいずれか１つに表示され、前記商品・役務広告欄と前記広告用の二次元バーコードとが前記第１〜第３表表示面のいずれか２つに表示されている請求項２ないし請求項４いずれかに記載のゴルフスコアカード。
【請求項６】
前記ゴルフスコアカードでは、前記裏表示面が前記第１および第２折り曲げ線によって第１〜第３裏表示面に区画され、前記商品・役務広告欄と前記広告用の二次元バーコードとが前記第１〜第３裏表示面のいずれか１つに表示され、前記スコアを記入するスコア記入欄が前記第１〜第３裏表示面のいずれか２つに表示されている請求項５に記載のゴルフスコアカード。
【請求項７】
前記ゴルフスコアカードが、縦方向へ延びる折り曲げ線を有し、前記折り曲げ線によって前記裏表示面を重ね合わせるように２つ折りに折り畳まれ、前記表表示面が、前記折り曲げ線を挟んで第１表表示面と第２表表示面とに区画され、前記ゴルフスコアカードでは、前記ゴルフ場表示欄と前記ゴルフ場用の二次元バーコードとが前記第１表表示面と前記第２表表示面とのいずれか一方に表示され、前記商品・役務広告欄と前記広告用の二次元バーコードとが前記第１表表示面と前記第２表表示面とのいずれか他方に表示されている請求項２ないし請求項４いずれかに記載のゴルフスコアカード。
【請求項８】
表表示面と裏表示面とを有して前記裏表示面にゴルフのスコアを記入するゴルフスコアカードと、前記ゴルフスコアカードを保持したプレーヤーが所持する携帯通信端末とを利用したゴルフ関連情報出力システムにおいて、
前記ゴルフスコアカードの表表示面には、該ゴルフスコアカードを利用してプレーする所定のゴルフ場を表示するゴルフ場表示欄と、ゴルフ関連の商品またはゴルフ関連の役務を広告する商品・役務広告欄とが表示され、前記ゴルフ場表示欄には、前記所定のゴルフ場の各種情報を持ったゴルフ場用の二次元バーコードが表示され、前記商品・役務広告欄には、前記ゴルフ関連の商品またはゴルフ関連の役務に関する各種情報を持った広告用の二次元バーコードが表示され、
前記ゴルフ関連情報出力システムでは、前記ゴルフスコアカードに表示された前記ゴルフ場用の二次元バーコードをプレーヤーが所持する携帯通信端末に読み取らせることで、前記所定のゴルフ場に関する各種情報が前記携帯通信端末に出力され、前記ゴルフスコアカードに表示された前記広告用の二次元バーコードをプレーヤーが所持する携帯通信端末に読み取らせることで、前記ゴルフ関連の商品またはゴルフ関連の役務に関する各種情報が前記携帯通信端末に出力されることを特徴とするゴルフ関連情報出力システム。
【請求項９】
前記携帯通信端末に出力される前記ゴルフ場の各種情報が、ゴルフ場のＵＲＬ、ゴルフ場のイベント情報、ゴルフ場のキャンペーン情報、ゴルフに関する最新ニュースのうちの少なくとも１つであり、前記携帯通信端末に出力される前記ゴルフ関連の商品またはゴルフ関連の役務に関する各種情報が、ゴルフ関連の商品を販売する企業のＵＲＬ、ゴルフ関連の役務を提供する企業のＵＲＬ、ゴルフ関連の商品またはゴルフ関連の役務の宣伝情報、ゴルフ関連の商品またはゴルフ関連の役務のイベント情報、ゴルフ関連の商品またはゴルフ関連の役務のキャンペーン情報のうちの少なくとも１つである請求項８に記載のゴルフ関連情報出力システム。
【請求項１０】
前記ゴルフ関連情報出力システムでは、前記ゴルフスコアカードに表示された前記ゴルフ場用の二次元バーコードをプレーヤーが所持する携帯通信端末に読み取らせることで、該ゴルフ場用の二次元バーコードに含まれる所定のゴルフ場のＵＲＬを該携帯通信端末に取り込ませ、該携帯通信端末に取り込んだ前記ゴルフ場のＵＲＬを利用して所定のゴルフ場のホームページにアクセスしつつ、前記所定のゴルフ場のホームページから該ゴルフ場に関する各種情報が該携帯通信端末に出力される請求項８または請求項９に記載のゴルフ関連情報出力システム。
【請求項１１】
前記ゴルフ関連情報出力システムでは、前記ゴルフスコアカードに表示された前記広告用の二次元バーコードをプレーヤーが所持する携帯通信端末に読み取らせることで、該広告用の二次元バーコードに含まれるゴルフ関連の商品を販売する企業のＵＲＬまたはゴルフ関連の役務を提供する企業のＵＲＬを該携帯通信端末に取り込ませ、該携帯通信端末に取り込んだ前記ゴルフ関連の商品を販売する企業のＵＲＬまたは前記ゴルフ関連の役務を提供する企業のＵＲＬを利用して所定の企業のホームページにアクセスしつつ、前記所定の企業のホームページから該企業のゴルフ関連の商品に関する各種情報または該企業のゴルフ関連の役務に関する各種情報が該携帯通信端末に出力される請求項８ないし請求項１０いずれかに記載のゴルフ関連情報出力システム。
【発明の詳細な説明】
【技術分野】
【０００１】
本発明は、裏表示面にゴルフのスコアを記入するゴルフスコアカードおよびゴルフスコアカード利用したゴルフ関連情報出力システムに関する。
【背景技術】
【０００２】
１枚のカード本体をその長手方向においてほぼ３等分して３つ折りのカード構成とし、カード本体の外側面と内側面とにそれぞれ３つの表示部が形成され、カード本体の一端側の外側面表示部を表紙として折り畳み可能に形成するとともにその内側面表示部に第１のゴルフスコア記入欄を設け、カード本体の他端側を表紙の内側に折り込み可能に形成するとともにその外側面表示部に第２のゴルフスコア記入欄を設け、カードを折り畳んだ際に第１のゴルフスコア記入欄と第２のゴルフスコア記入欄とが同時に隣接して表示されるよう設定し、さらに、カード本体の中央の外側面表示部を広告掲載欄として設定したゴルフスコアカードが開始されている（特許文献１参照）。ゴルフスコアカードは、競技中にプレーヤーが使用する際に広告掲載欄が邪魔とはならず、所定の商品を広告する広告媒体として利用することができる。
【先行技術文献】
【特許文献】
【０００３】
【特許文献１】特開２０００−６２３５２号公報
【発明の概要】
【発明が解決しようとする課題】
【０００４】
前記特許文献１に開示のゴルフスコアカードは、その広告掲載欄を利用して所定の商品の宣伝を行うことはできるが、広告掲載欄に記載された情報のみを伝えることができるに過ぎず、情報量が少なく、商品に関する十分な情報を伝えることができない。また、広告掲載欄に記載された商品を販売する企業の各種情報を取得することができず、その企業が販売する各種商品やその企業が提供する各種役務を閲覧することができない。このゴルフスコアカードは、ゴルフスコアカードを介して所定のゴルフ場のホームページにアクセスすることはできず、ゴルフ場のホームページからゴルフ場に関する各種情報を取得することができないとともに、ゴルフスコアカードを介して各種商品を販売する企業のホームページや各種役務を提供する企業のホームページにアクセスすることができず、各企業のホームページから商品に関する各種情報や役務に関する各種情報を取得することができない。
【０００５】
本発明の目的は、所定のゴルフ場に関する十分な情報を伝えることができ、所定の商品または役務に関する十分な情報を伝えることができるゴルフスコアカードを提供することにある。本発明の他の目的は、所定のゴルフ場のホームページや各企業のホームページにアクセスすることができ、ゴルフ場のホームページからゴルフ場に関する各種情報を取得することができるとともに、各企業のホームページから商品に関する各種情報や役務に関する各種情報を取得することができるゴルフスコアカードを提供することにある。本発明の他の目的は、ゴルフスコアカードを利用して所定のゴルフ場に関する各種情報を携帯通信端末に出力することができ、ゴルフスコアカードを利用して所定の商品または役務に関する各種情報を携帯通信端末に出力することができるゴルフ関連情報出力システムを提供することにある。
【課題を解決するための手段】
【０００６】
前記課題を解決するための本発明の第１の前提は、表表示面と裏表示面とを有して裏表示面にゴルフのスコアを記入するゴルフスコアカードである。
【０００７】
前記第１の前提における本発明のゴルフスコアカードの特徴は、表表示面には、ゴルフスコアカードを利用してプレーする所定のゴルフ場を表示したゴルフ場表示欄と、所定の商品または役務を広告する商品・役務広告欄とが表示され、ゴルフ場表示欄には、所定のゴルフ場の各種情報を持ったゴルフ場用の二次元バーコードが表示され、商品・役務広告欄には、所定の商品または役務に関する各種情報を持った広告用の二次元バーコードが表示されていることにある。
【０００８】
本発明のゴルフスコアカードの一例としては、ゴルフ場用の二次元バーコードが持つゴルフ場の各種情報が、ゴルフ場のＵＲＬ、ゴルフ場のイベント情報、ゴルフ場のキャンペーン情報、ゴルフに関する最新ニュースのうちの少なくとも１つであり、広告用の二次元バーコードが持つ商品または役務に関する各種情報が、所定の商品を販売する企業のＵＲＬ、所定の役務を提供する企業のＵＲＬ、所定の商品または所定の役務の宣伝情報、所定の商品または所定の役務のイベント情報、所定の商品または所定の役務のキャンペーン情報のうちの少なくとも１つである。
【０００９】
本発明のゴルフスコアカードの他の一例として、ゴルフスコアカードでは、それに表示されたゴルフ場用の二次元バーコードをプレーヤーが所持する携帯通信端末に読み取らせることで、ゴルフ場用の二次元バーコードに含まれるゴルフ場のＵＲＬを携帯通信端末に取り込ませ、携帯通信端末に取り込んだゴルフ場のＵＲＬを利用して所定のゴルフ場のホームページにアクセス可能であり、所定のゴルフ場のホームページからゴルフ場に関する各種情報を取得可能である。
【００１０】
本発明のゴルフスコアカードの他の一例として、ゴルフスコアカードでは、それに表示された広告用の二次元バーコードをプレーヤーが所持する携帯通信端末に読み取らせることで、広告用の二次元バーコードに含まれる商品を販売する企業のＵＲＬまたは役務を提供する企業のＵＲＬを携帯通信端末に取り込ませ、携帯通信端末に取り込んだ商品を販売する企業のＵＲＬまたは役務を提供する企業のＵＲＬを利用して所定の企業のホームページにアクセス可能であり、所定の企業のホームページから企業の商品に関する各種情報または企業の役務に関する各種情報を取得可能である。
【００１１】
本発明のゴルフスコアカードの他の一例としては、ゴルフスコアカードが横方向へ離間して縦方向へ延びる第１折り曲げ線と第２折り曲げ線とを有し、第１および第２折り曲げ線によって３つ折りに折り畳まれ、表表示面が第１および第２折り曲げ線によって第１〜第３表表示面に区画され、ゴルフスコアカードでは、ゴルフ場表示欄とゴルフ場用の二次元バーコードとが第１〜第３表表示面のいずれか１つに表示され、商品・役務広告欄と広告用の二次元バーコードとが第１〜第３表表示面のいずれか２つに表示されている。
【００１２】
本発明のゴルフスコアカードの他の一例として、ゴルフスコアカードでは、裏表示面が第１および第２折り曲げ線によって第１〜第３裏表示面に区画され、商品・役務広告欄と広告用の二次元バーコードとが第１〜第３裏表示面のいずれか１つに表示され、スコアを記入するスコア記入欄が第１〜第３裏表示面のいずれか２つに表示されている。
【００１３】
本発明のゴルフスコアカードの他の一例としては、ゴルフスコアカードが縦方向へ延びる折り曲げ線を有し、折り曲げ線によって裏表示面を重ね合わせるように２つ折りに折り畳まれ、表表示面が折り曲げ線を挟んで第１表表示面と第２表表示面とに区画され、ゴルフスコアカードでは、ゴルフ場表示欄とゴルフ場用の二次元バーコードとが第１表表示面と第２表表示面とのいずれか一方に表示され、商品・役務広告欄と広告用の二次元バーコードとが第１表表示面と第２表表示面とのいずれか他方に表示されている。
【００１４】
前記課題を解決するための本発明の第２前提は、表表示面と裏表示面とを有して裏表示面にゴルフのスコアを記入するゴルフスコアカードと、ゴルフスコアカードを保持したプレーヤーが所持する携帯通信端末とを利用したゴルフ関連情報出力システムである。
【００１５】
前記第２前提における本発明のゴルフ関連情報出力システムの特徴として、ゴルフスコアカードの表表示面には、ゴルフスコアカードを利用してプレーする所定のゴルフ場を表示するゴルフ場表示欄と、ゴルフ関連の商品またはゴルフ関連の役務を広告する商品・役務広告欄とが表示され、ゴルフ場表示欄には、所定のゴルフ場の各種情報を持ったゴルフ場用の二次元バーコードが表示され、商品・役務広告欄には、ゴルフ関連の商品またはゴルフ関連の役務に関する各種情報を持った広告用の二次元バーコードが表示され、ゴルフ関連情報出力システムでは、ゴルフスコアカードに表示されたゴルフ場用の二次元バーコードをプレーヤーが所持する携帯通信端末に読み取らせることで、所定のゴルフ場に関する各種情報が携帯通信端末に出力され、ゴルフスコアカードに表示された広告用の二次元バーコードをプレーヤーが所持する携帯通信端末に読み取らせることで、ゴルフ関連の商品またはゴルフ関連の役務に関する各種情報が携帯通信端末に出力されることにある。
【００１６】
本発明のゴルフ関連情報出力システムの一例としては、携帯通信端末に出力されるゴルフ場の各種情報が、ゴルフ場のＵＲＬ、ゴルフ場のイベント情報、ゴルフ場のキャンペーン情報、ゴルフに関する最新ニュースのうちの少なくとも１つであり、携帯通信端末に出力されるゴルフ関連の商品またはゴルフ関連の役務に関する各種情報が、ゴルフ関連の商品を販売する企業のＵＲＬ、ゴルフ関連の役務を提供する企業のＵＲＬ、ゴルフ関連の商品またはゴルフ関連の役務の宣伝情報、ゴルフ関連の商品またはゴルフ関連の役務のイベント情報、ゴルフ関連の商品またはゴルフ関連の役務のキャンペーン情報のうちの少なくとも１つである。
【００１７】
本発明のゴルフ関連情報出力システムの他の一例として、ゴルフ関連情報出力システムでは、ゴルフスコアカードに表示されたゴルフ場用の二次元バーコードをプレーヤーが所持する携帯通信端末に読み取らせることで、ゴルフ場用の二次元バーコードに含まれる所定のゴルフ場のＵＲＬを携帯通信端末に取り込ませ、携帯通信端末に取り込んだゴルフ場のＵＲＬを利用して所定のゴルフ場のホームページにアクセスしつつ、所定のゴルフ場のホームページからゴルフ場に関する各種情報が携帯通信端末に出力される。
【００１８】
本発明のゴルフ関連情報出力システムの他の一例として、ゴルフ関連情報出力システムでは、ゴルフスコアカードに表示された広告用の二次元バーコードをプレーヤーが所持する携帯通信端末に読み取らせることで、広告用の二次元バーコードに含まれるゴルフ関連の商品を販売する企業のＵＲＬまたはゴルフ関連の役務を提供する企業のＵＲＬを該携帯通信端末に取り込ませ、携帯通信端末に取り込んだゴルフ関連の商品を販売する企業のＵＲＬまたはゴルフ関連の役務を提供する企業のＵＲＬを利用して所定の企業のホームページにアクセスしつつ、所定の企業のホームページから企業のゴルフ関連の商品に関する各種情報または企業のゴルフ関連の役務に関する各種情報が携帯通信端末に出力される。
【発明の効果】
【００１９】
本発明に係るゴルフスコアカードによれば、所定のゴルフ場の各種情報を持ったゴルフ場用の二次元バーコードがゴルフ場表示欄に表示され、所定の商品または役務に関する各種情報を持った広告用の二次元バーコードが商品・役務広告欄に表示されているから、たとえば、ゴルフ場用の二次元バーコードをゴルフのプレーヤーが所持するスマートフォンやタブレット、携帯電話（携帯通信端末）のバーコードリーダを利用して読み込ませることで、そのゴルフ場用の二次元バーコードが持つ所定のゴルフ場の各種情報をスマートフォンやタブレット、携帯電話の画面に表示させることができ、ゴルフスコアカードを介して所定のゴルフ場に関する十分な情報を伝えることができる。ゴルフスコアカードは、広告用の二次元バーコードをスマートフォンやタブレット、携帯電話（携帯通信端末）のバーコードリーダを利用して読み込ませることで、その広告用の二次元バーコードが持つ所定の商品の各種情報や所定の役務の各種情報をスマートフォンやタブレット、携帯電話の画面に表示させることができ、ゴルフスコアカードを介して所定の商品または役務に関する十分な情報を伝えることができる。
【００２０】
ゴルフ場用の二次元バーコードが持つゴルフ場の各種情報がゴルフ場のＵＲＬ、ゴルフ場のイベント情報、ゴルフ場のキャンペーン情報、ゴルフに関する最新ニュースのうちの少なくとも１つであり、広告用の二次元バーコードが持つ商品または役務に関する各種情報が所定の商品を販売する企業のＵＲＬ、所定の役務を提供する企業のＵＲＬ、所定の商品または所定の役務の宣伝情報、所定の商品または所定の役務のイベント情報、所定の商品または所定の役務のキャンペーン情報のうちの少なくとも１つであるゴルフスコアカードは、たとえば、ゴルフ場用の二次元バーコードをゴルフのプレーヤーが所持するスマートフォンやタブレット、携帯電話（携帯通信端末）のバーコードリーダを利用して読み込ませることで、そのゴルフ場用の二次元バーコードが持つゴルフ場のＵＲＬ、ゴルフ場のイベント情報、ゴルフ場のキャンペーン情報、ゴルフに関する最新ニュースをスマートフォンやタブレット、携帯電話の画面に表示させることができ、ゴルフスコアカードを介して所定のゴルフ場に関するそれら情報を伝えることができる。ゴルフスコアカードは、広告用の二次元バーコードをスマートフォンやタブレット、携帯電話（携帯通信端末）のバーコードリーダを利用して読み込ませることで、その広告用の二次元バーコードが持つ所定の商品を販売する企業のＵＲＬ、所定の役務を提供する企業のＵＲＬ、所定の商品または所定の役務の宣伝情報、所定の商品または所定の役務のイベント情報、所定の商品または所定の役務のキャンペーン情報をスマートフォンやタブレット、携帯電話の画面に表示させることができ、ゴルフスコアカードを介して所定の商品または役務に関するそれら情報を伝えることができる。
【００２１】
ゴルフスコアカードに表示されたゴルフ場用の二次元バーコードをプレーヤーが所持する携帯通信端末に読み取らせることで、ゴルフ場用の二次元バーコードに含まれるゴルフ場のＵＲＬを携帯通信端末に取り込ませ、携帯通信端末に取り込んだゴルフ場のＵＲＬを利用して所定のゴルフ場のホームページにアクセス可能であり、所定のゴルフ場のホームページからゴルフ場に関する各種情報を取得可能であるゴルフスコアカードは、ゴルフ場用の二次元バーコードに含まれるゴルフ場のＵＲＬをスマートフォンやタブレット、携帯電話（携帯通信端末）に読み取らせ、そのゴルフ場のＵＲＬを利用してそのゴルフ場のホームページにアクセスし、そのゴルフ場のホームページからゴルフ場に関する各種情報を取得することができるから、ゴルフスコアカードに表示されたゴルフ場用の二次元バーコードを介して所定のゴルフ場に関する各種情報を閲覧することができ、ゴルフスコアカードを介して所定のゴルフ場に関する十分な各種情報を伝えることができる。
【００２２】
ゴルフスコアカードに表示された広告用の二次元バーコードをプレーヤーが所持する携帯通信端末に読み取らせることで、広告用の二次元バーコードに含まれる商品を販売する企業のＵＲＬまたは役務を提供する企業のＵＲＬを携帯通信端末に取り込ませ、携帯通信端末に取り込んだ商品を販売する企業のＵＲＬまたは役務を提供する企業のＵＲＬを利用して所定の企業のホームページにアクセス可能であり、所定の企業のホームページから企業の商品に関する各種情報または企業の役務に関する各種情報を取得可能であるゴルフスコアカードは、広告用の二次元バーコードに含まれる商品を販売する企業のＵＲＬまたは役務を提供する企業のＵＲＬをスマートフォンやタブレット、携帯電話（携帯通信端末）に読み取らせ、その企業のＵＲＬを利用して所定の企業のホームページにアクセスし、その企業のホームページから企業の商品に関する各種情報または企業の役務に関する各種情報を取得することができるから、ゴルフスコアカードに表示された広告用の二次元バーコードを介して所定の企業の商品に関する各種情報または企業の役務に関する各種情報を閲覧することができ、ゴルフスコアカードを介して所定の商品または役務に関する十分な各種情報を伝えることができる。
【００２３】
横方向へ離間して縦方向へ延びる第１折り曲げ線と第２折り曲げ線とを有し、第１および第２折り曲げ線によって３つ折りに折り畳まれ、表表示面が第１および第２折り曲げ線によって第１〜第３表表示面に区画され、ゴルフ場表示欄とゴルフ場用の二次元バーコードとが第１〜第３表表示面のいずれか１つに表示され、商品・役務広告欄と広告用の二次元バーコードとが第１〜第３表表示面のいずれか２つに表示されているゴルフスコアカードは、第１〜第３表表示面のいずれか１つに表示されたゴルフ場用の二次元バーコードをスマートフォンやタブレット、携帯電話（携帯通信端末）に読み取らせ、そのゴルフ場用の二次元バーコードが持つ所定のゴルフ場の各種情報をスマートフォンやタブレット、携帯電話の画面に表示させることができ、そのゴルフ場用の二次元バーコードが持つゴルフ場のＵＲＬを利用してそのゴルフ場のホームページにアクセスすることができるとともに、スマートフォンやタブレット、携帯電話に表示されたゴルフ場の各種情報やゴルフ場のホームページによって所定のゴルフ場に関する十分な各種情報を伝えることができる。ゴルフスコアカードは、第１〜第３表表示面のいずれか２つに表示されたそれら広告用の二次元バーコードをスマートフォンやタブレット、携帯電話（携帯通信端末）に読み取らせ、それら広告用の二次元バーコードが持つ所定の商品の各種情報や所定の役務の各種情報をスマートフォンやタブレット、携帯電話の画面に表示させることができ、それら広告用の二次元バーコードが持つ企業のＵＲＬを利用して所定の企業のホームページにアクセスすることができるとともに、スマートフォンやタブレット、携帯電話に表示された商品の各種情報、役務の各種情報や企業のホームページによって所定の商品または役務に関する十分な各種情報を伝えることができる。
【００２４】
裏表示面が前記第１および第２折り曲げ線によって第１〜第３裏表示面に区画され、商品・役務広告欄と広告用の二次元バーコードとが第１〜第３裏表示面のいずれか１つに表示され、スコアを記入するスコア記入欄が第１〜第３裏表示面のいずれか２つに表示されているゴルフスコアカードは、第１〜第３裏表示面のいずれか１つに表示された広告用の二次元バーコードをスマートフォンやタブレット、携帯電話（携帯通信端末）に読み取らせ、広告用の二次元バーコードが持つ所定の商品の各種情報や所定の役務の各種情報をスマートフォンやタブレット、携帯電話の画面に表示させることができ、広告用の二次元バーコードが持つ企業のＵＲＬを利用して所定の企業のホームページにアクセスすることができるとともに、スマートフォンやタブレット、携帯電話に表示された商品の各種情報、役務の各種情報や企業のホームページによって所定の商品または役務に関する十分な各種情報を伝えることができる。
【００２５】
縦方向へ延びる折り曲げ線を有し、折り曲げ線によって裏表示面を重ね合わせるように２つ折りに折り畳まれ、表表示面が折り曲げ線を挟んで第１表表示面と第２表表示面とに区画され、ゴルフ場表示欄とゴルフ場用の二次元バーコードとが第１表表示面と第２表表示面とのいずれか一方に表示され、商品・役務広告欄と広告用の二次元バーコードとが第１表表示面と第２表表示面とのいずれか他方に表示されているゴルフスコアカードは、第１表表示面と第２表表示面とのいずれか一方に表示されたゴルフ場用の二次元バーコードをスマートフォンやタブレット、携帯電話（携帯通信端末）に読み取らせ、そのゴルフ場用の二次元バーコードが持つ所定のゴルフ場の各種情報をスマートフォンやタブレット、携帯電話の画面に表示させることができ、そのゴルフ場用の二次元バーコードが持つゴルフ場のＵＲＬを利用してそのゴルフ場のホームページにアクセスすることができるとともに、スマートフォンやタブレット、携帯電話に表示されたゴルフ場の各種情報やゴルフ場のホームページによって所定のゴルフ場に関する十分な各種情報を伝えることができる。ゴルフスコアカードは、第１表表示面と第２表表示面とのいずれか他方に表示された広告用の二次元バーコードをスマートフォンやタブレット、携帯電話（携帯通信端末）に読み取らせ、その広告用の二次元バーコードが持つ所定の商品の各種情報や所定の役務の各種情報をスマートフォンやタブレット、携帯電話の画面に表示させることができ、その広告用の二次元バーコードが持つ企業のＵＲＬを利用して所定の企業のホームページにアクセスすることができるとともに、スマートフォンやタブレット、携帯電話に表示された商品の各種情報、役務の各種情報や企業のホームページによって所定の商品または役務に関する十分な各種情報を伝えることができる。
【００２６】
本発明に係るゴルフ関連情報出力システムによれば、ゴルフスコアカードに表示されたゴルフ場用の二次元バーコードをプレーヤーが所持するスマートフォンやタブレット、携帯電話（携帯通信端末）のバーコードリーダを利用して読み取らせることで、所定のゴルフ場に関する各種情報がスマートフォンやタブレット、携帯電話に出力されるから、そのゴルフ場用の二次元バーコードが持つ所定のゴルフ場の各種情報をスマートフォンやタブレット、携帯電話の画面に表示させることができ、ゴルフスコアカードを介して所定のゴルフ場に関する十分な各種情報を伝えることができる。ゴルフ関連情報出力システムは、ゴルフスコアカードに表示された広告用の二次元バーコードをプレーヤーが所持するスマートフォンやタブレット、携帯電話（携帯通信端末）末のバーコードリーダを利用して読み取らせることで、ゴルフ関連の商品またはゴルフ関連の役務に関する各種情報がスマートフォンやタブレット、携帯電話に出力されるから、その広告用の二次元バーコードが持つゴルフ関連の商品の各種情報やゴルフ関連の役務の各種情報をスマートフォンやタブレット、携帯電話の画面に表示させることができ、ゴルフスコアカードを介してゴルフ関連の商品またはゴルフ関連の役務に関する十分な各種情報を伝えることができる。
【００２７】
携帯通信端末に出力されるゴルフ場の各種情報がゴルフ場のＵＲＬ、ゴルフ場のイベント情報、ゴルフ場のキャンペーン情報、ゴルフに関する最新ニュースのうちの少なくとも１つであり、携帯通信端末に出力されるゴルフ関連の商品またはゴルフ関連の役務に関する各種情報が、ゴルフ関連の商品を販売する企業のＵＲＬ、ゴルフ関連の役務を提供する企業のＵＲＬ、ゴルフ関連の商品またはゴルフ関連の役務の宣伝情報、ゴルフ関連の商品またはゴルフ関連の役務のイベント情報、ゴルフ関連の商品またはゴルフ関連の役務のキャンペーン情報のうちの少なくとも１つであるゴルフ関連情報出力システムは、ゴルフ場用の二次元バーコードをゴルフのプレーヤーが所持するスマートフォンやタブレット、携帯電話（携帯通信端末）のバーコードリーダを利用して読み込ませることで、そのゴルフ場用の二次元バーコードが持つゴルフ場のＵＲＬ、ゴルフ場のイベント情報、ゴルフ場のキャンペーン情報、ゴルフに関する最新ニュースをスマートフォンやタブレット、携帯電話の画面に表示させることができ、ゴルフスコアカードを介して所定のゴルフ場に関する十分な各種情報を伝えることができる。ゴルフ関連情報出力システムは、広告用の二次元バーコードをスマートフォンやタブレット、携帯電話（携帯通信端末）のバーコードリーダを利用して読み込ませることで、その広告用の二次元バーコードが持つゴルフ関連の商品を販売する企業のＵＲＬ、ゴルフ関連の役務を提供する企業のＵＲＬ、ゴルフ関連の商品またはゴルフ関連の役務の宣伝情報、ゴルフ関連の商品またはゴルフ関連の役務のイベント情報、ゴルフ関連の商品またはゴルフ関連の役務のキャンペーン情報をスマートフォンやタブレット、携帯電話の画面に表示させることができ、ゴルフスコアカードを介してゴルフ関連の商品またはゴルフ関連の役務に関する十分な各種情報を伝えることができる。
【００２８】
ゴルフスコアカードに表示されたゴルフ場用の二次元バーコードをプレーヤーが所持する携帯通信端末に読み取らせることで、ゴルフ場用の二次元バーコードに含まれる所定のゴルフ場のＵＲＬを携帯通信端末に取り込ませ、携帯通信端末に取り込んだゴルフ場のＵＲＬを利用して所定のゴルフ場のホームページにアクセスしつつ、所定のゴルフ場のホームページからゴルフ場に関する各種情報が携帯通信端末に出力されるゴルフ関連情報出力システムは、ゴルフ場用の二次元バーコードに含まれるゴルフ場のＵＲＬをスマートフォンやタブレット、携帯電話（携帯通信端末）に読み取らせ、そのゴルフ場のＵＲＬを利用してそのゴルフ場のホームページにアクセスすることで、そのゴルフ場のホームページからゴルフ場に関する各種情報をスマートフォンやタブレット、携帯電話に出力することができ、ゴルフスコアカードに表示されたゴルフ場用の二次元バーコードを介して所定のゴルフ場に関する各種情報を取得することができる。
【００２９】
ゴルフスコアカードに表示された広告用の二次元バーコードをプレーヤーが所持する携帯通信端末に読み取らせることで、広告用の二次元バーコードに含まれるゴルフ関連の商品を販売する企業のＵＲＬまたはゴルフ関連の役務を提供する企業のＵＲＬを携帯通信端末に取り込ませ、携帯通信端末に取り込んだゴルフ関連の商品を販売する企業のＵＲＬまたはゴルフ関連の役務を提供する企業のＵＲＬを利用して所定の企業のホームページにアクセスしつつ、所定の企業のホームページから企業のゴルフ関連の商品に関する各種情報または企業のゴルフ関連の役務に関する各種情報が携帯通信端末に出力されるゴルフ関連情報出力システムは、広告用の二次元バーコードに含まれるゴルフ関連の商品を販売する企業のＵＲＬまたはゴルフ関連の役務を提供する企業のＵＲＬをスマートフォンやタブレット、携帯電話（携帯通信端末）に読み取らせ、ゴルフ関連の商品を販売する企業のＵＲＬまたはゴルフ関連の役務を提供する企業のＵＲＬを利用してそれら企業のホームページにアクセスすることで、それら企業のホームページから企業のゴルフ関連の商品に関する各種情報または企業のゴルフ関連の役務に関する各種情報をスマートフォンやタブレット、携帯電話に出力することができ、ゴルフスコアカードに表示された広告用の二次元バーコードを介してゴルフ関連の商品に関する各種情報またはゴルフ関連の役務に関する各種情報を取得することができる。
【図面の簡単な説明】
【００３０】
【図１】一例として示すゴルフスコアカードの表表示面を示す図。
【図２】図１のゴルフスコアカードの裏表示面を示す図。
【図３】他の一例として示すゴルフスコアカードの表表示面を示す図。
【図４】図３のゴルフスコアカードの裏表示面を示す図。
【図５】一例として示すゴルフ関連情報出力システムのシステム構成図。
【図６】スマートフォン（携帯通信端末）の画面に表示されたイベント情報画面の一例を示す図。
【図７】スマートフォン（携帯通信端末）の画面に表示された図６から続くイベント情報画面の一例を示す図。
【図８】スマートフォン（携帯通信端末）の画面に表示された商品情報画面の一例を示す図。
【図９】スマートフォン（携帯通信端末）の画面に表示されたゴルフ場紹介画面の一例を示す図。
【図１０】スマートフォン（携帯通信端末）の画面に表示されたコースレイアウト画面を示す図。
【図１１】スマートフォン（携帯通信端末）の画面に表示された図９から続くゴルフ場紹介画面を示す図。
【図１２】スマートフォン（携帯通信端末）の画面に表示された図１１から続くゴルフ場紹介画面を示す図。
【図１３】スマートフォン（携帯通信端末）の画面に表示された企業情報画面の一例を示す図。
【図１４】スマートフォン（携帯通信端末）の画面に表示された商品情報画面を示す図。
【発明を実施するための形態】
【００３１】
一例として示すゴルフスコアカード１０Ａの表表示面１１を示す図である図１等の添付の図面を参照し、本発明に係るゴルフスコアカードおよびゴルフ関連情報出力システムの詳細を説明すると、以下のとおりである。なお、図２は、図１のゴルフスコアカード１０Ａの裏表示面１２を示す図である。ゴルフスコアカード１０Ａ（後記するゴルフスコアカード１０Ｂを含む）は、図１に示す表表示面１１と図２に示す裏表示面１２とを有し、ゴルフのプレーヤー（ゴルファー）がゴルフのプレー中に携帯し、その裏表示面１２にゴルフのスコアを記入する。ゴルフスコアカード１０Ａ（ゴルフスコアカード１０Ｂを含む）は、ゴルフのプレーが終了した後、ゴルフのプレーヤーが所持し、そのまま持ち帰る。
【００３２】
ゴルフスコアカード１０Ａには、横方向へ離間して縦方向へ延びる第１折り曲げ線１３ａ（第１折り目）と第２折り曲げ線１３ｂ（第２折り目）とが形成されている。ゴルフスコアカード１０Ａの表表示面１１は、第１および第２折り曲げ線１３ａ，１３ｂによって第１表表示面１１ａと第２表表示面１１ｂと第３表表示面１１ｃとに区画されている。第１〜第３表表示面１１ａ〜１１ｃは、矩形であって同形同大である。
【００３３】
ゴルフスコアカード１０Ａの裏表示面１２は、第１および第２折り曲げ線１３ａ，１３ｂによって第１裏表示面１２ａと第２裏表示面１２ｂと第３裏表示面１２ｃとに区画されている。第１〜第３裏表示面１２ａ〜１２ｃは、矩形であって同形同大である。ゴルフスコアカード１０Ａは、第１および第２折り曲げ線１３ａ，１３ｂによって折り曲げられて３つ折りに折り畳まれた状態で、持ち運ばれる。
【００３４】
ゴルフスコアカード１０Ａの第１表表示面１１ａには、ゴルフスコアカード１０Ａを利用してプレーする所定のゴルフ場を表示（紹介）したゴルフ場表示欄１４（ゴルフ場紹介欄）が表示されている。ゴルフ場表示欄１４には、ゴルフ場のクラブハウスの画像が表示され、ゴルフ場の名称や選手権開催の事実が表示（記載）されている。なお、ゴルフ場表示欄１４に表示する画像や文字に特に限定はなく、そのゴルフスコアカード１０Ａを利用してプレーするゴルフ場を紹介する各種複数の情報を表示（記載）することができる。
【００３５】
ゴルフ場表示欄１４には、所定のゴルフ場の各種情報を持った（表示する）ゴルフ場用の二次元バーコード１５が表示されている。二次元バーコード１５としてＱＲコード（登録商標）が使用されているが、ＱＲコード（登録商標）の他のＳＰコードやベリコード、マキシコード、ＣＰコード、DataMatrix、Code1、AztecCode、Super Code、Ultra Code等の既存の二次元バーコードまたは今後開発されるあらたな二次元バーコードを使用することもできる。ゴルフ場用の二次元バーコード１５（ＱＲコード）が持つゴルフ場の各種情報には、ゴルフ場のＷｅｂページのアドレスを表すＵＲＬ、ゴルフ場のイベント情報、ゴルフ場のキャンペーン情報、ゴルフに関する最新ニュースがあり、ゴルフ場用の二次元バーコード１５には、それら情報のうちの少なくとも１つが格納されている。
【００３６】
ゴルフ場のイベント情報として、初心者＆コース未経験者ラウンドレッスン、クリスマスゴルフバーで過ごすゴルコンイベント、女子プロと楽しむ夏コンペ、ラウンドレッスン付きゴルフコンペ等を例示することができるが、ゴルフ場のイベント情報には過去に企画された他のあらゆるイベントや将来企画される他のあらゆるイベントが含まれる。
【００３７】
ゴルフ場のキャンペーン情報として、ゴルフ場特別優待券プレゼントキャンペーン、無料ゴルフプレー券プレゼントキャンペーン、組数限定食事付き＆２割増無しキャンペーン、早期予約割引キャンペーン、組数限定プレー料金割引キャンペーン、抽選でゴルフ場オリジナルグッズが当たるキャンペーン等を例示することができるが、ゴルフ場のキャンペーン情報には過去に企画された他のあらゆるキャンペーンや将来企画される他のあらゆるキャンペーンが含まれる。
【００３８】
ゴルフスコアカード１０Ａの第２表表示面１１ｂおよび第３表表示面１１ｃには、所定の商品（ゴルフ関連商品や他の商品）または役務（ゴルフ関連役務や他の役務）を広告する商品・役務広告欄１７が表示されている。なお、ゴルフ場表示欄１４が第２表表示面１１ｂと第３表表示面１１ｃとのいずれかに表示されていてもよく、商品・役務広告欄１７がゴルフ場表示欄１４を表示した表表示面１１ａ〜１１ｃを除く他の２つの表表示面１１ａ〜１１ｃに表示されていてもよい。
【００３９】
第２表表示面１１ｂに表示された商品・役務広告欄１７には、ゴルフバッグおよびゴルフクラブの宣伝画像が表示されている。第３表表示面１１ｃに表示された商品・役務広告欄１７には、ゴルフウェアの宣伝画像が表示されている。なお、第２表表示面１１ｂの商品・役務広告欄１７や第３表表示面１１ｃの商品・役務広告欄１７に表示する画像や文字に特に限定はなく、所定の企業が販売する各種複数のゴルフ関連商品や各種複数の他の商品、所定の企業が提供する各種複数のゴルフ関連役務（サービス）や各種複数の他の役務（サービス）を表示（記載）することができる。
【００４０】
第２表表示面１１ｂの商品・役務広告欄１７には、所定の商品または所定の役務に関する各種情報を持った（表示する）広告用の二次元バーコード１６ａが表示されている。第３表表示面１１ｃの商品・役務広告欄１７には、所定の商品または所定の役務に関する各種情報を持った（表示する）広告用の二次元バーコード１６ｂが表示されている。広告用の二次元バーコード１６ａ，１６ｂが持つ所定の商品または所定の役務に関する各種情報には、所定の商品を販売する企業のＷｅｂページのアドレスを表すＵＲＬ、所定の役務を提供する企業のＷｅｂページのアドレスを表すＵＲＬ、所定の商品または所定の役務の宣伝情報、所定の商品または所定の役務のイベント情報、所定の商品または所定の役務のキャンペーン情報があり、広告用の二次元バーコード１６ａ，１６ｂには、それら情報のうちの少なくとも１つが格納されている。
【００４１】
所定の商品（ゴルフ関連商品や他の商品）または所定の役務（ゴルフ関連役務や他の役務）のイベント情報として、夏コンペ参加者ゴルフ用品格安即売会開催イベント、予約者に当たるゴルフ場オフィシャルホテル宿泊券プレゼント抽選会、フランス料理フルコース付きゴルフコンペイベント、クリスマス商品プレゼント抽選会、エステ無料招待券抽選イベント等を例示することができるが、商品または役務のイベント情報には過去に企画された他のあらゆるイベントや将来企画される他のあらゆるイベントが含まれる。
【００４２】
所定の商品（ゴルフ関連商品や他の商品）または所定の役務（ゴルフ関連役務や他の役務）のキャンペーン情報として、春コンペ参加者各種商品プレゼントキャンペーン、早期予約ゴルフ場オフィシャルホテル割引券プレゼントキャンペーン、抽選でゴルフグッズが当たるキャンペーン、女子プロラウンドレッスンが当たるキャンペーン、メーカー指定商品が当たるキャンペーン、○○社協賛エステ体験キャンペーン等を例示することができるが、商品または役務のキャンペーン情報には過去に企画された他のあらゆるキャンペーンや将来企画される他のあらゆるキャンペーンが含まれる。
【００４３】
ゴルフスコアカード１０Ａの第１裏表示面１２ａには、所定の商品（ゴルフ関連商品や他の商品）または役務（ゴルフ関連役務や他の役務）を広告する商品・役務広告欄１７が表示されている。第１裏表示面１２ａに表示された商品・役務広告欄１７には、ゴルフシューズの宣伝画像が表示されている。なお、第１裏表示面１２ａの商品・役務広告欄１７に表示する画像や文字に特に限定はなく、所定の企業が販売する各種複数のゴルフ関連商品や各種複数の他の商品、所定の企業が提供する各種複数のゴルフ関連役務（サービス）や各種複数の他の役務（サービス）を表示（記載）することができる。
【００４４】
第１裏表示面１２ａの商品・役務広告欄１７には、所定の商品または所定の役務に関する各種情報を持った（表示する）広告用の二次元バーコード１６ｃが表示されている。広告用の二次元バーコード１６ｃが持つ所定の商品または所定の役務に関する各種情報は既述のとおりであり、所定の商品（ゴルフ関連商品や他の商品）または所定の役務（ゴルフ関連役務や他の役務）のイベント情報やキャンペーン情報は既述のとおりである。
【００４５】
ゴルフスコアカード１０Ａの第２裏表示面１２ｂおよび第３裏表示面１２ｃには、ゴルフのスコアを記入するスコア記入欄１８が表示されている。なお、商品・役務広告欄１７が第２裏表示面１２ｂと第３裏表示面１２ｃとのいずれかに表示されていてもよく、スコア記入欄１８が商品・役務広告欄１７を表示した表表示面を除く他の２つの裏表示面１２ａ〜１２ｃに表示されていてもよい。第１〜第３表表示面１１ａ〜１１ｃと第１〜第３裏表示面１２ａ〜１２ｃとのうちのいずれか１つの面に各ゴルフ場独自のルールであるローカルルールが表示される場合もある。
【００４６】
図３は、他の一例として示すゴルフスコアカード１０Ｂの表表示面１１を示す図であり、図４は、図３のゴルフスコアカード１０Ｂの裏表示面１２を示す図である。ゴルフスコアカード１０Ｂには、縦方向へ延びる折り曲げ線１３が形成されている。ゴルフスコアカード１０Ｂの表表示面１１は、折り曲げ線１３を挟んで第１表表示面１１ａと第２表表示面１１ｂとに区画されている。第１および第２表表示面１１ａ，１１ｂは、矩形であって同形同大である。ゴルフスコアカード１０Ａの裏表示面１２は、折り曲げ線１３によって第１裏表示面１２ａと第２裏表示面１２ｂとに区画されている。第１および第２裏表示面１２ａ，１２ｂは、矩形であって同形同大である。ゴルフスコアカード１０Ｂは、折り曲げ線によって折り曲げられて裏表示面１２ａ，１２ｂを重ね合わせるように２つ折りに折り畳まれた状態で、持ち運ばれる。
【００４７】
ゴルフスコアカード１０Ｂの第１表表示面１１ａには、ゴルフスコアカード１０Ｂを利用してプレーする所定のゴルフ場を表示（紹介）したゴルフ場表示欄１４が表示されている。ゴルフ場表示欄１４には、ゴルフ場のクラブハウスの画像が表示され、ゴルフ場の名称や選手権開催の事実が表示（記載）されている。なお、ゴルフ場表示欄に表示する画像や文字に特に限定はなく、そのゴルフスコアカード１０Ｂを利用してプレーするゴルフ場を紹介する各種複数の情報を表示（記載）することができる。
【００４８】
ゴルフ場表示欄１４には、所定のゴルフ場の各種情報を持った（表示する）ゴルフ場用の二次元バーコード１５が表示されている。ゴルフ場用の二次元バーコード１５が持つゴルフ場の各種情報は、既述のとおりである。ゴルフ場のイベント情報やゴルフ場のキャンペーン情報は、既述のとおりである。ゴルフスコアカード１０Ｂの第２表表示面１１ｂには、所定の商品（ゴルフ関連商品や他の商品）または役務（ゴルフ関連役務や他の役務）を広告する商品・役務広告欄１７が表示されている。なお、ゴルフ場表示欄１４が第２表表示面１１ｂに表示されていてもよく、商品・役務広告欄１７が第１表表示面１１ａに表示されていてもよい。
【００４９】
第２表表示面１１ｂに表示された商品・役務広告欄１４には、ゴルフバッグおよびゴルフクラブの宣伝画像が表示されている。なお、第２表表示面１１ｂの商品・役務広告欄１７に表示する画像や文字に特に限定はなく、所定の企業が販売する各種複数のゴルフ関連商品や各種複数の他の商品、所定の企業が提供する各種複数のゴルフ関連役務（サービス）や各種複数の他の役務（サービス）を表示（記載）することができる。
【００５０】
第２表表示面１１ｂの商品・役務広告欄１７には、所定の商品または所定の役務に関する各種情報を持った（表示する）広告用の二次元バーコード１６が表示されている。広告用の二次元バーコード１６が持つ所定の商品または所定の役務に関する各種情報は既述のとおりであり、所定の商品（ゴルフ関連商品や他の商品）または所定の役務（ゴルフ関連役務や他の役務）のイベント情報やキャンペーン情報は既述のとおりである。
【００５１】
ゴルフスコアカード１０Ｂの第１裏表示面１２ａおよび第２裏表示面１２ｂには、ゴルフのスコアを記入するスコア記入欄１８が表示されている。なお、第１および第２表表示面１１ａ，１１ｂと第１および第２裏表示面１２ａ，１２ｂとのうちのいずれか１つの面に各ゴルフ場独自のルールであるローカルルールが表示される場合もある。
【００５２】
図５は、一例として示すゴルフ関連情報出力システム１９のシステム構成図であり、図６は、スマートフォン２０（携帯通信端末）の画面に表示されたイベント情報画面２５ａの一例を示す図である。図７は、スマートフォン２０（携帯通信端末）の画面に表示された図６から続くイベント情報画面２５ｂの一例を示す図である。図６，図７では、携帯通信端末としてスマートフォン２０を図示している（以下の図において同じ）。
【００５３】
ゴルフ関連情報出力システム１９は、ゴルフのプレーヤーが保持する既述のゴルフスコアカード１０Ａ，１０Ｂと、ゴルフスコアカード１０Ａ，１０Ｂを保持したプレーヤーが所持するスマートフォン２０（携帯通信端末）、タブレット２１（携帯通信端末）、携帯電話２２（携帯通信端末）と、ゴルフ倶楽部（ゴルフ場）の各種データを保持したサーバ２３ａと、商品を製造・販売する企業の各種データを保持したサーバ２３ｂとから形成されている。スマートフォン２０やタブレット２１、携帯電話２２と各サーバ２３ａ，２３ｂとはインターネット２４を介して接続される。
【００５４】
なお、図５では、１台のスマートフォン２０や１台のタブレット２１、１台の携帯電話２２、１台のサーバ２３ａ，２３ｂを図示しているが、実際には、機種が異なるとともに提供するキャリア（メーカー）が異なる各種複数のスマートフォン２０や機種が異なるとともに提供するメーカーが異なる各種複数のタブレット２１、機種が異なるとともに提供するキャリアが異なる各種複数の携帯電話２２、各種複数のサーバ２３ａ，２３ｂによってゴルフ関連情報出力システム１９が形成される。
【００５５】
サーバ２３ａは、ゴルフ倶楽部（所定のゴルフ場）が契約するデータセンター（仮想マシンやクラウドを含む）に設置されている。サーバ２３ｂは、各企業が契約するデータセンター（仮想マシンやクラウドを含む）に設置されている。なお、サーバ２３ａがゴルフ倶楽部（所定のゴルフ場）のクラブハウスに設置され、サーバ２３ｂが各企業の事業所に設置される場合もある。サーバ２３ａには、ゴルフ倶楽部に関する各種複数の情報が格納（記憶）されている。サーバ２３ｂには、各企業が販売する商品に関する各種複数の情報や各企業が提供する役務（サービス）に関する各種複数の情報、各企業の企業情報が格納（記憶）されている。サーバ２３ａ，２３ｂは、ＤＮＳサーバ機能、データベースサーバ機能、Ｗｅｂサーバ機能、メールサーバ機能、ドキュメントサーバ機能の各種サーバ機能を有し、インターネットに接続された各種複数のＤＮＳサーバ等を経由しつつ、インターネットを利用してアクセス制限がない他のあらゆるサーバにアクセスすることができる。
【００５６】
ゴルフのプレーヤーは、ゴルフ倶楽部（ゴルフ場）においてゴルフスコアカード１０Ａ，１０Ｂを受け取り、ゴルフスコアカード１０Ａ，１０Ｂを保持した状態でゴルフのプレーを開始する。ゴルフのプレーヤーは、各ホールにおけるプレー毎に自己のスコアをゴルフスコアカード１０Ａ，１０Ｂのスコア記入欄１８に記入する。プレーヤーは、ゴルフの開始前またはプレー中あるいはプレー終了後（ゴルフスコアカード１０Ａ，１０Ｂを自宅等に持ち帰った後を含む）に、スマートフォン２０やタブレット２１、携帯電話２２のバーコードリーダを利用し、ゴルフスコアカード１０Ａ，１０Ｂのゴルフ場表示欄１４に表示されたゴルフ場用の二次元バーコード１５をスマートフォン２０やタブレット２１、携帯電話２２に読み込ませることができる。
【００５７】
スマートフォン２０やタブレット２１、携帯電話２２にゴルフ場表示欄１４のゴルフ場用の二次元バーコード１５を読み込ませると、スマートフォン２０やタブレット２１、携帯電話２２の画面（タッチ画面）に図６に示すゴルフ場のトイベント情報画面２５ａが表示（出力）される。図６のイベント情報画面２５ａには、ゴルフ倶楽部（ゴルフ場）において行われる各種イベントの一覧が表示される。図６のイベント情報画面２５ａを下方にスクロールすることで、次のイベントがスマートフォン２０（またはタブレット２１、携帯電話２２）の画面に順に表示される。
【００５８】
図６のイベント情報画面２５ａのイベントの一覧に表示された所定イベントの詳細表示ボタンをタップすると、スマートフォン２０やタブレット２１、携帯電話２２の画面に図７に示すゴルフ場のイベント情報画面２５ｂが表示（出力）される。図７のイベント情報画面２５ｂには、図６のイベント情報画面２５ａのイベントの一覧から選択した所定のイベントの詳細情報（内容）が表示される。ゴルフのプレーヤーは、図６や図７のイベント情報画面２５ａ，２５ｂを見ることで、ゴルフ倶楽部（ゴルフ場）において行われる各種イベントの内容を知ることができる。
【００５９】
ゴルフ場表示欄１４のゴルフ場用の二次元バーコード１５を読み込ませることで、図示はしていないが、ゴルフ倶楽部（ゴルフ場）のＷｅｂページのアドレスを表すＵＲＬやゴルフ倶楽部（ゴルフ場）のキャンペーン情報画面、ゴルフに関する最新ニュース画面が表示される。プレーヤーは、ゴルフ倶楽部（ゴルフ場）のＵＲＬを利用してゴルフ倶楽部（ゴルフ場）のホームページにアクセスすることができ、ゴルフ倶楽部（ゴルフ場）の各種情報を見ることができる。プレーヤーは、ゴルフ倶楽部（ゴルフ場）のキャンペーン情報画面を見ることで、ゴルフ倶楽部（ゴルフ場）において実施される各種キャンペーンの内容を知ることができる。プレーヤーは、最新ニュース画面を見ることで、ゴルフに関する最新ニュースを知ることができる。
【００６０】
ゴルフスコアカード１０Ａ，１０Ｂは、ゴルフ場用の二次元バーコード１５をゴルフのプレーヤーが所持するスマートフォン２０やタブレット２１、携帯電話２２（携帯通信端末）のバーコードリーダを利用して読み込ませることで、そのゴルフ場用の二次元バーコード１５が持つゴルフ場のイベント情報やゴルフ場のＵＲＬ、ゴルフ場のキャンペーン情報、ゴルフに関する最新ニュースをスマートフォン２０やタブレット２１、携帯電話２２の画面に表示させることができ、ゴルフスコアカード１０Ａ，１０Ｂを介して所定のゴルフ場に関するそれら情報を伝えることができる。
【００６１】
ゴルフ関連情報出力システム１９は、ゴルフスコアカード１０Ａ，１０Ｂのゴルフ場表示欄１４に表示されたゴルフ場用の二次元バーコード１５をゴルフのプレーヤーが所持するスマートフォン２０やタブレット２１、携帯電話２２（携帯通信端末）のバーコードリーダを利用して読み込ませることで、そのゴルフ場用の二次元バーコード１５が持つゴルフ場のイベント情報やゴルフ場のＵＲＬ、ゴルフ場のキャンペーン情報、ゴルフに関する最新ニュースをスマートフォン２０やタブレット２１、携帯電話２２の画面に表示させることができ、ゴルフスコアカード１０Ａ，１０Ｂを介して所定のゴルフ場に関する十分な各種情報を伝えることができる。
【００６２】
図８は、スマートフォン２０（携帯通信端末）の画面に表示された商品情報画面２７の一例を示す図である。ゴルフのプレーヤーは、ゴルフの開始前またはプレー中あるいはプレー終了後（ゴルフスコアカード１０Ａ，１０Ｂを自宅等に持ち帰った後を含む）に、スマートフォン２０やタブレット２１、携帯電話２２のバーコードリーダを利用し、ゴルフスコアカード１０Ａ，１０Ｂの商品・役務広告欄１７に表示された広告用の二次元バーコード１６，１６ａ〜１６ｃをスマートフォン２０やタブレット２１、携帯電話２２に読み込ませることができる。
【００６３】
スマートフォン２０やタブレット２１、携帯電話２２に商品・役務広告欄１７の広告用の二次元バーコード１６，１６ａ〜１６ｃを読み込ませると、スマートフォン２０やタブレット２１、携帯電話２２の画面に図８に示す所定の商品の宣伝情報画面２７が表示される。図８の宣伝情報画面２７には、ゴルフバックやゴルフクラブの宣伝（商品紹介）が表示（出力）される。プレーヤーは、図８の宣伝情報画面２７を見ることで、ゴルフに関連する商品の内容やその商品の販売企業等を知ることができる。
【００６４】
商品・役務広告欄１７の広告用の二次元バーコード１６，１６ａ〜１６ｃをスマートフォン２０やタブレット２１、携帯電話２２読み込ませることで、図示はしていないが、所定の商品（ゴルフ関連の商品やその他の商品）を製造・販売する企業のＷｅｂページのアドレスを表すＵＲＬや所定の役務（ゴルフ関連の役務やその他の役務）を提供する企業のＷｅｂページのアドレスを表すＵＲＬ、所定の役務（ゴルフ関連の役務やその他の役務）の宣伝情報画面、所定の商品（ゴルフ関連の商品やその他の商品）のイベント情報画面、所定の役務（ゴルフ関連の役務やその他の役務）のイベント情報画面、所定の商品（ゴルフ関連の商品やその他の商品）のキャンペーン情報画面、所定の役務（ゴルフ関連の役務やその他の役務）のキャンペーン情報画面が表示（出力）される。
【００６５】
ゴルフのプレーヤーは、商品（ゴルフ関連の商品やその他の商品）を製造・販売する企業のＵＲＬを利用してその企業のホームページにアクセスすることができ、その企業が製造・販売する各種の商品を見ることができる。プレーヤーは、役務（ゴルフ関連の役務やその他の役務）を提供する企業のＵＲＬを利用してその企業のホームページにアクセスすることができ、その企業が提供する各種の役務（サービス）を見ることができる。プレーヤーは、役務（ゴルフ関連の役務やその他の役務）の宣伝情報画面を見ることで、企業が提供する各種の役務（サービス）を知ることができる。
【００６６】
プレーヤーは、商品（ゴルフ関連の商品やその他の商品）のイベント情報画面を見ることで、企業が製造・販売する各種の商品を知ることができ、役務（ゴルフ関連の役務やその他の役務）のイベント情報画面を見ることで、企業が提供する各種の役務（サービス）を知ることができる。プレーヤーは、商品（ゴルフ関連の商品やその他の商品）のキャンペーン情報画面を見ることで、企業が実施する各種商品の各種キャンペーンを知ることができ、役務（ゴルフ関連の役務やその他の役務）のキャンペーン情報画面を見ることで、企業が実施する各種役務（各種サービス）の各種キャンペーンを知ることができる。
【００６７】
ゴルフスコアカード１０Ａ，１０Ｂは、商品・役務広告欄１７に表示された広告用の二次元バーコード１６，１６ａ〜１６ｃをスマートフォン２０やタブレット２１、携帯電話２２（携帯通信端末）のバーコードリーダを利用して読み込ませることで、その広告用の二次元バーコード１６，１６ａ〜１６ｃが持つ所定の商品を販売する企業のＵＲＬ、所定の役務を提供する企業のＵＲＬ、所定の商品または所定の役務の宣伝情報、所定の商品または所定の役務のイベント情報、所定の商品または所定の役務のキャンペーン情報をスマートフォン２０やタブレット２１、携帯電話２２の画面に表示させることができ、ゴルフスコアカード１０Ａ，１０Ｂを介して所定の商品または役務（サービス）に関するそれら情報を伝えることができる。
【００６８】
ゴルフ関連情報出力システム１９は、ゴルフスコアカード１０Ａ，１０Ｂの商品・役務広告欄１７に表示された広告用の二次元バーコード１６，１６ａ〜１６ｃをスマートフォン２０やタブレット２１、携帯電話２２（携帯通信端末）のバーコードリーダを利用して読み込ませることで、その広告用の二次元バーコード１６，１６ａ〜１６ｃが持つゴルフ関連の商品を販売する企業のＵＲＬ、ゴルフ関連の役務を提供する企業のＵＲＬ、ゴルフ関連の商品またはゴルフ関連の役務の宣伝情報、ゴルフ関連の商品またはゴルフ関連の役務のイベント情報、ゴルフ関連の商品またはゴルフ関連の役務のキャンペーン情報をスマートフォン２０やタブレット２１、携帯電話２２の画面に表示させることができ、ゴルフスコアカード１０Ａ，１０Ｂを介してゴルフ関連の商品またはゴルフ関連の役務に関する十分な各種情報を伝えることができる。
【００６９】
図９は、スマートフォン２０（携帯通信端末）の画面に表示されたゴルフ場紹介画面２８ａの一例を示す図であり、図１０は、スマートフォン２０（携帯通信端末）の画面に表示されたコースレイアウト画面２９を示す図である。図１１は、スマートフォン２０（携帯通信端末）の画面に表示された図９から続くゴルフ場紹介画面２８ｂを示す図であり、図１２は、スマートフォン２０（携帯通信端末）の画面に表示された図１１から続くゴルフ場紹介画面２８ｃを示す図である。
【００７０】
ゴルフのプレーヤーは、ゴルフの開始前またはプレー中あるいはプレー終了後（ゴルフスコアカード１０Ａ，１０Ｂを自宅等に持ち帰った後を含む）に、スマートフォン２０やタブレット２１、携帯電話２２（携帯通信端末）のバーコードリーダを利用し、ゴルフスコアカード１０Ａ，１０Ｂのゴルフ場表示欄１４に表示されたゴルフ場用の二次元バーコード１５をスマートフォン２０やタブレット２１、携帯電話２２に読み込ませ、ゴルフ場用の二次元バーコード１５に含まれるゴルフ倶楽部（所定のゴルフ場）のＵＲＬをスマートフォン２０やタブレット２１、携帯電話２２に取り込ませることができる。
【００７１】
ゴルフのプレーヤーは、スマートフォン２０やタブレット２１、携帯電話２２に取り込んだゴルフ倶楽部（所定のゴルフ場）のＵＲＬを利用し、インターンネット２４を介してゴルフ倶楽部のサーバ２３ａにアクセスかつログインし、ゴルフ倶楽部のホームページを閲覧することができる。プレーヤーは、ゴルフ倶楽部のホームページからそのゴルフ倶楽部に関する各種情報を取得することができる。その一例として、スマートフォン２０に取り込んだＵＲＬを利用してゴルフ倶楽部のサーバ２３ａにアクセスかつログインした後、図９に示すように、スマートフォン２０の画面には、ゴルフ場紹介画面２８ａが表示される。
【００７２】
ゴルフ場紹介画面２８ａには、予約カレンダーボタン、ゴルフ場詳細ボタン、コースレイアウトボタン、地図アクセスボタン、総合評価表示エリアが表示される。総合評価表示エリアには、コース難易度の点数、グリーン難易度の点数、フェアウェイ広狭の点数、コースメンテナンスの点数、距離の長さの点数、値段の手頃の点数、食事の味の点数、設備の点数が表示されている。なお、総合評価表示エリアに表示される情報は図示のそれらのみならず、ゴルフ倶楽部（所定のゴルフ場）に関連する他のあらゆる評価を表示することができる。プレーヤーは、ゴルフ場紹介画面２８ａを見ることで、ゴルフ倶楽部（所定のゴルフ場）の評価を知ることができる。
【００７３】
予約カレンダーボタンをタップすることで、図示はしていないが、スマートフォン２０の画面にゴルフ倶楽部（所定のゴルフ場）のプレー予約画面が表示され、ゴルフのプレーヤーはプレー予約画面においてゴルフプレーの予約申し込みを行うことができる。ゴルフ場詳細ボタンをタップすることで、図示はしていないが、スマートフォン２０の画面にゴルフ倶楽部の基本情報（郵便番号、住所、アクセス方法（車での来場や電車での来場、タクシーでの来場等）、連絡先（電話番号、ＦＡＸ番号等）、休日、冬期クローズの有無、開場時間、予約開始日（平日：プレー日の２ヶ月前の１日、土曜日：プレー日の２ヶ月前の１日、日祝日：プレー日の２ヶ月前の１日）、使用可能なカード、宅配会社、ジュニアプレーの可否、コンペ可否、服装規定、シューズ指定、キャンセル規定等）が表示される。プレーヤーは、ゴルフ倶楽部の基本情報を見ることで、ゴルフ倶楽部の各種基本情報を知ることができる。地図アクセスボタンをタップすることで、図示はしていないが、スマートフォン２０の画面にマップ情報が表示される。
【００７４】
ゴルフのプレーヤーがコースレイアウトボタンをタップすると、スマートフォン２０の画面には、図１０に示すコースレイアウト画面２９が表示される。コースレイアウト画面２９には、ゴルフ倶楽部（所定のゴルフ場）の全コースのレイアウト画面、各コースのレイアウト画面が表示される。各コースのレイアウト画面に表示された各コースをタップすると、図示はしていないが、そのコースのコース詳細画面がスマートフォン２０の画面に表示される。コース詳細画面には、そのコースのレイアウト（平面画像や立体画像）とともに、コースの基本情報（オリジナルヤーデージ：３７５ヤード（パー４）、ピンまでの距離や条件、カップの位置、打ち下ろし等）、（オリジナルヤーデージ：４２０ヤード（パー４）、ピンまでの距離や条件、カップの位置、池越え等）が表示されるとともに、そのコースの攻め方、そのコースに付随する施設（避雷小屋、トイレ、喫煙所等の場所）等が表示される。プレーヤーは、コースレイアウト画面２９やコース詳細画面を見ることで、各コースの特徴や攻め方等を知ることができる。
【００７５】
なお、１番ホールに来たプレーヤーは、スマートフォン２０がサーバ２３ａにログインした状態で、たとえば、コースレイアウト画面２９から１番ホールを指定すると、スマートフォン２０がそのＧＰＳ機能を利用してプレーヤー（スマートフォン２０）の位置を測位する。スマートフォン２０の画面には、１番ホールのコースレイアウト、１番ホールのコースレイアウトにおけるプレーヤーの位置情報、プレーヤーの位置からグリーンまでの距離、プレーヤーの位置からカップまでの距離が表示される。
【００７６】
図９に示すゴルフ場紹介画面２８ａにおいて、画面を下方へスクロールすると、図１１に示すゴルフ場紹介画面２８ｂがスマートフォン２０の画面に表示される。図１１のゴルフ場紹介画面２８ｂには、スコアデータ分析表示エリアとコース特徴表示エリアとが表示されている。スコアデータ分析表示エリアには、ゴルフ倶楽部（所定のゴルフ場）の平均スコア、平均パット数、平均フェアウェイキープ率、平均バーディー率、平均パーオン率が表示される。コース特徴表示エリアには、グリーン数、フェアウェイ状況、ラフ状況、ハザード数、コース距離が表示される。
【００７７】
スコアデータ分析表示エリアに表示される各データは図示のそれらのみならず、ゴルフ倶楽部のプレーに関連する他のあらゆるデータを表示することができる。コース特徴表示エリアに表示される各特徴は図示のそれらのみならず、ゴルフ倶楽部に関連する他のあらゆる特徴を表示することができる。プレーヤーは、スコアデータ分析表示エリアを見ることで、ゴルフ倶楽部（所定のゴルフ場）の各種データを知ることができ、コース特徴表示エリアを見ることで、ゴルフ倶楽部のコース特徴を知ることができる。
【００７８】
図１１に示すゴルフ場紹介画面２８ｂにおいて、画面を下方へスクロールすると、図１２に示すゴルフ場紹介画面２８ｃがスマートフォン２０の画面に表示される。図１２のゴルフ場紹介画面２８ｂには、コース概要表示エリアと施設表示エリアとが表示されている。コース概要表示エリアには、設計者名、ホール数、コースタイプ、コースレイアウト、ラウンドスタイル、ナイター設備の有無、カート種類、コース内トイレの有無の各コース情報が表示される。施設表示エリアには、練習場の有無、練習場状況、お風呂の有無、レストランの有無、宿泊施設の有無の各施設情報が表示される。
【００７９】
コース概要表示エリアに表示される各コース情報は図示のそれらのみならず、ゴルフ倶楽部にプレーのコースに関連する他のあらゆる情報を表示することができる。施設表示エリアに表示される各施設情報は図示のそれらのみならず、ゴルフ倶楽部の施設に関連する他のあらゆる施設情報を表示することができる。プレーヤーは、コース概要表示エリアを見ることで、ゴルフ倶楽部（所定のゴルフ場）のコースの特徴を知ることができ、施設表示エリアを見ることで、ゴルフ倶楽部が有する施設を知ることができる。
【００８０】
ゴルフスコアカード１０Ａ，１０Ｂは、ゴルフ場用の二次元バーコード１５に含まれるゴルフ倶楽部（所定のゴルフ場）のＵＲＬをスマートフォン２０やタブレット２１、携帯電話２２（携帯通信端末）に読み取らせ、そのゴルフ倶楽部のＵＲＬを利用してそのゴルフ倶楽部のホームページにアクセスかつログインし、そのゴルフ倶楽部のホームページからゴルフ倶楽部に関する各種情報を取得することができるから、ゴルフスコアカード１０Ａ，１０Ｂに表示されたゴルフ場用の二次元バーコード１５を介して所定のゴルフ倶楽部に関する各種情報を閲覧することができ、ゴルフスコアカード１０Ａ，１０Ｂを介して所定のゴルフ倶楽部に関する十分な各種情報を伝えることができる。
【００８１】
ゴルフ関連情報出力システム１９は、ゴルフ場用の二次元バーコード１５に含まれるゴルフ倶楽部（所定のゴルフ場）のＵＲＬをスマートフォン２０やタブレット２１、携帯電話２２（携帯通信端末）に読み取らせ、そのゴルフ倶楽部のＵＲＬを利用してそのゴルフ倶楽部のホームページにアクセスかつログインすることで、そのゴルフ倶楽部のホームページからゴルフ倶楽部に関する各種情報をスマートフォン２０やタブレット２１、携帯電話２２に出力することができ、ゴルフスコアカード１０Ａ，１０Ｂに表示されたゴルフ場用の二次元バーコード１５を介して所定のゴルフ倶楽部に関する各種情報を取得することができる。
【００８２】
図１３は、スマートフォン２０（携帯通信端末）の画面に表示された企業情報画面３０の一例を示す図であり、図１４は、スマートフォン２０（携帯通信端末）の画面に表示された商品情報画面３１を示す図である。ゴルフのプレーヤーは、ゴルフの開始前またはプレー中あるいはプレー終了後（ゴルフスコアカード１０Ａ，１０Ｂを自宅等に持ち帰った後を含む）に、スマートフォン２０やタブレット２１、携帯電話２２（携帯通信端末）のバーコードリーダを利用し、ゴルフスコアカード１０Ａ，１０Ｂの商品・役務広告欄１７に表示された広告用の二次元バーコード１６，１６ａ〜１６ｃを読み込ませ、広告用の二次元バーコード１６，１６ａ〜１６ｃに含まれる各企業（商品を販売する企業、役務を提供する企業）のＵＲＬをスマートフォン２０やタブレット２１、携帯電話２２に取り込ませることができる。
【００８３】
ゴルフのプレーヤーは、スマートフォン２０やタブレット２１、携帯電話２２に取り込んだ各企業（商品を販売する企業、役務を提供する企業）のＵＲＬを利用し、インターンネット２４を介して各企業のサーバ２３ｂにアクセスかつログインし、各企業のホームページを閲覧することができる。プレーヤーは、各企業のホームページから所定の企業に関する各種企業情報や商品情報、役務（サービス）情報を取得することができる。その一例として、スマートフォン２０に取り込んだＵＲＬを利用して企業のサーバ２３ｂにアクセスかつログインした後、図１３に示すように、スマートフォン２０の画面には、企業情報画面３０が表示される。
【００８４】
企業情報画面３０には、各企業の名称、各企業のＵＲＬが表示される。図１３の企業情報画面３０を下方にスクロールすることで、次の企業がスマートフォン２０の画面に順に表示される。企業情報画面３０に表示される企業情報は図示のそれらのみならず、企業に関する他のあらゆる情報を表示することができる。また、企業には、ゴルフ関連の商品を販売し、ゴルフ関連の役務（サービス）を提供する企業のみならず、ゴルフ関連以外の他の商品を販売し、ゴルフ関連以外の他の役務を提供する企業も含まれる。
【００８５】
図１３の企業情報画面３０において、プレーヤーが所定の企業のＵＲＬをタップすると、スマートフォン２０はそのＵＲＬを利用し、インターンネット２４を介して企業のサーバ２３Ｂにアクセスかつログインし、その企業のホームページを閲覧することができる。プレーヤーは、企業のホームページからその企業が販売する商品や企業が提供する役務に関する各種情報を取得することができる。その一例として、スマートフォン２０に取り込んだＵＲＬを利用して企業のサーバ２３Ｂにアクセスかつログインした後、図１４に示すように、スマートフォン２０の画面には、商品情報画面３１が表示される。
【００８６】
図１４の商品情報画面３１には、販売商品一覧ボタン、サービス一覧ボタン、企業情報ボタン、販売商品であるゴルフ関連商品表示エリアが表示されている。  ゴルフ関連商品表示エリアには、ゴルフクラブ表示エリア、ゴルフバッグ表示エリア、ゴルフウェア表示エリアが表示されている。ゴルフ関連商品表示エリアを下方へスクロールすることで、次のゴルフ関連商品がゴルフ関連商品表示エリアに順に表示される。図示はしていないが、提供する各種サービス（各種役務）を表示したゴルフ関連サービス表示エリアが商品情報画面３１に表示される場合もある。
【００８７】
販売商品一覧ボタンをタップすると、選択した企業が販売する他の商品の商品選択画面が表示される。サービス一覧ボタンをタップすると、選択した企業が提供する役務（サービス）のサービス選択画面が表示される。企業情報ボタンをタップすると、選択した企業の各種の企業情報画面（称号、資本金、従業員数、代表者名、所在地、事業内容、新製品情報等）が表示される。プレーヤーは、商品選択画面やサービス選択画面、企業情報画面を見ることで、企業が販売する各商品や企業が提供する各サービス、各企業の企業情報を知ることができるとともに、商品の購入やサービスの提供を検討することができる。
【００８８】
なお、図示はしていないが、ゴルフ関連商品表示エリアのゴルフクラブ表示エリアに表示された詳細はこちらボタンをタップすると、ゴルフクラブ表示エリアに表示されたゴルフクラブに関する詳細説明画面がスマートフォン２０の画面に表示され、ゴルフ関連商品表示エリアに表示されたゴルフクラブ表示エリアをタップすると、所定の企業が販売する各種複数のゴルフクラブを表示したゴルフクラブ一覧紹介画面がスマートフォン２０の画面に表示される。プレーヤーは、企業が販売するゴルフクラブの詳細や他の各種複数のゴルフクラブを見ることができ、ゴルフクラブの詳細内容（仕様や価格、特性等）を知ることができるとともに、ゴルフクラブの購入を検討することができる。
【００８９】
ゴルフ関連商品表示エリアのゴルフバッグ表示エリアに表示された詳細はこちらボタンをタップすると、ゴルフバッグ表示エリアに表示されたゴルフバッグに関する詳細説明画面がスマートフォン２０の画面に表示され、ゴルフ関連商品表示エリアに表示されたゴルフバッグ表示エリアをタップすると、所定の企業が販売する各種複数のゴルフバッグを表示したゴルフバッグ一覧紹介画面がスマートフォン２０の画面に表示される。プレーヤーは、企業が販売するゴルフバッグの詳細や他の各種複数のゴルフバッグを見ることができ、ゴルフバッグの詳細内容（仕様や価格、特性等）を知ることができるとともに、ゴルフバッグの購入を検討することができる。
【００９０】
ゴルフ関連商品表示エリアのゴルフウェア表示エリアに表示された詳細はこちらボタンをタップすると、ゴルフウェア表示エリアに表示されたゴルフウェアに関する詳細説明画面がスマートフォン２０の画面に表示され、ゴルフ関連商品表示エリアに表示されたゴルフウェア表示エリアをタップすると、所定の企業が販売する各種複数のゴルフウェアを表示したゴルフウェア一覧紹介画面がスマートフォン２０の画面に表示される。プレーヤーは、企業が販売するゴルフウェアの詳細や他の各種複数のゴルフウェアを見ることができ、ゴルフウェアの詳細内容（仕様や価格、特性等）を知ることができるとともに、ゴルフウェアの購入を検討することができる。
【００９１】
ゴルフスコアカード１０Ａ，１０Ｂは、広告用の二次元バーコード１６，１６ａ〜１６ｃに含まれる商品を販売する企業のＵＲＬまたは役務を提供する企業のＵＲＬをスマートフォン２０やタブレット２１、携帯電話２２（携帯通信端末）に読み取らせ、その企業のＵＲＬを利用して所定の企業のホームページにアクセスかつログインし、その企業のホームページから企業が販売する商品に関する各種情報または企業が提供する役務に関する各種情報を取得することができるから、ゴルフスコアカード１０Ａ，１０Ｂに表示された広告用の二次元バーコード１６，１６ａ〜１６ｃを介して所定の企業の商品に関する各種情報または企業の役務に関する各種情報を閲覧することができ、ゴルフスコアカード１０Ａ，１０Ｂを介して所定の商品または役務に関する十分な各種情報を伝えることができる。
【００９２】
ゴルフ関連情報出力システム１９は、広告用の二次元バーコード１６，１６ａ〜１６ｃに含まれるゴルフ関連の商品を販売する企業のＵＲＬまたはゴルフ関連の役務を提供する企業のＵＲＬをスマートフォン２０やタブレット２１、携帯電話２２（携帯通信端末）に読み取らせ、ゴルフ関連の商品を販売する企業のＵＲＬまたはゴルフ関連の役務を提供する企業のＵＲＬを利用してそれら企業のホームページにアクセスかつログインすることで、それら企業のホームページから企業のゴルフ関連の商品に関する各種情報または企業のゴルフ関連の役務に関する各種情報をスマートフォン２０やタブレット２１、携帯電話２２に出力することができ、ゴルフスコアカード１０Ａ，１０Ｂに表示された広告用の二次元バーコード１６，１６ａ〜１６ｃを介してゴルフ関連の商品に関する各種情報またはゴルフ関連の役務に関する各種情報を取得することができる。
【符号の説明】
【００９３】
１０Ａ  ゴルフスコアカード
１０Ｂ  ゴルフスコアカード
１１    表表示面
１１ａ  第１表表示面
１１ｂ  第２表表示面
１１ｃ  第３表表示面
１２    裏表示面
１２ａ  第１裏表示面
１２ｂ  第２裏表示面
１２ｃ  第３裏表示面
１３    折り曲げ線
１３ａ  第１折り曲げ線
１３ｂ  第２折り曲げ線
１４    ゴルフ場表示欄
１５    ゴルフ場用の二次元バーコード
１６ａ  広告用の二次元バーコード
１６ｂ  広告用の二次元バーコード
１６ｃ  広告用の二次元バーコード
１７    商品・役務広告欄
１８    スコア記入欄
１９    ゴルフ関連情報出力システム
２０    スマートフォン（携帯通信端末）
２１    タブレット（携帯通信端末）
２２    携帯電話（携帯通信端末）
２３ａ  サーバ
２３ｂ  サーバ
２４    インターネット
２５ａ  イベント情報画面
２５ｂ  イベント情報画面
２７    商品情報画面
２８ａ  ゴルフ場紹介画面
２８ｂ  ゴルフ場紹介画面
２９    コースレイアウト画面
３０    企業情報画面
３１    商品情報画面
【図１】
2019120793.tif 000003
【図２】
2019120793.tif 000004
【図３】
2019120793.tif 000005
【図４】
2019120793.tif 000006
【図５】
2019120793.tif 000007
【図６】
2019120793.tif 000008
【図７】
2019120793.tif 000009
【図８】
2019120793.tif 000010
【図９】
2019120793.tif 000011
【図１０】
2019120793.tif 000012
【図１１】
2019120793.tif 000013
【図１２】
2019120793.tif 000014
【図１３】
2019120793.tif 000015
【図１４】
2019120793.tif 000016